【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  音声及び手動による操作手段を備えた機器制御システムにお
いて、
音声又は手動のいずれかのみによって、機器の制御を行なうようにするための
制御手段を備えていることを特徴とする機器制御システム。
【請求項２】  音声及び手動による操作手段を備え、該操作手段から選択さ
れた操作命令項目に基づいて機器の制御を行なう機器制御システムにおいて、
音声又は手動のいずれによっても機器の制御を行なうことができるように、音
声操作による操作命令項目と手動操作による操作命令項目とが共通化されている
ことを特徴とする機器制御システム。
【請求項３】  音声及び手動による操作手段を備え、該操作手段から選択さ
れた操作命令項目に基づいて機器の制御を行なう機器制御システムにおいて、
音声操作による操作命令項目と手動操作による操作命令項目とを組み合わせて
用いるように構成されていることを特徴とする機器制御システム。
【請求項４】 音声で操作可能な音声操作手段、及び手動で操作可能な手動
操作手段を備え、前記音声操作手段、又は前記手動操作手段により選択された操
作命令項目に基づいて機器の制御を行う機器制御システムにおいて、
操作命令項目が階層化され、
前記音声操作手段、及び前記手動操作手段のいずれか一方の操作手段による操
作で、上位の階層の操作命令項目が選択された後、
前記一方とは異なる他方の操作手段による操作で、その下位の階層にある操作
命令項目を選択し得るように構成されていることを特徴とする機器制御システム
。
【請求項５】 前記上位の階層の操作命令項目が放送種別であり、
前記その下位の階層にある操作命令項目が放送局名であることを特徴とする請
求項４記載の機器制御システム。
【請求項６】  入力音声の大きさに応じて制御量を差別化するように構成さ
れていることを特徴とする請求項１〜５のいずれかの項に記載の機器制御システ
ム。
【請求項７】  終了命令項目が発声されるまで、継続中の作動を終了させな
いように構成されていることを特徴とする請求項１〜６のいずれかの項に記載の
機器制御システム。
【請求項８】  同音語が連続的に入力されると、その連続数をカウントし、
カウント値に応じて制御量を決定するように構成されていることを特徴とする請
求項１〜７のいずれかの項に記載の機器制御システム。
【請求項９】  リモコンを用いて音声を入力し、その音声情報を機器本体側
へ伝達する場合に、ＦＭ等の電波を用いて行なうように構成されていることを特
徴とする請求項１〜８のいずれかの項に記載の機器制御システム。
【請求項１０】  請求項１〜９のいずれかの項に記載の機器制御システムが
装備されていることを特徴とする車載用機器。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、本発明に係る機器制御システム（２）は、音声及び手動による操作手段
を備え、該操作手段から選択された操作命令項目に基づいて機器の制御を行なう
機器制御システムにおいて、音声又は手動のいずれによっても機器の制御を行な
うことができるように、音声操作による操作命令項目と手動操作による操作命令
項目とが共通化されていることを特徴としている。
【手続補正６】
【補正対象書類名】明細書
【補正対象項目名】００１３
【補正方法】変更
【補正の内容】
【００１３】
上記機器制御システム（２）によれば、音声操作による操作命令項目と手動操
作による操作命令項目とが共通化され、すなわち操作過程で次に選択できる操作
命令項目が、音声操作と手動操作とで同じになっているので、音声による操作手
段と手動による操作手段との両操作手段を用いて、適切に機器操作を行なうこと
ができる。また、リモコンや本体スイッチを見れば操作手順の分かる手動操作と
、音声操作とで操作手順が同じになるので、音声操作による操作手順が分からな
くなることをなくすことができる。
【手続補正７】
【補正対象書類名】明細書
【補正対象項目名】００１５
【補正方法】変更
【補正の内容】
【００１５】
また、本発明に係る機器制御システム（３）は、音声及び手動による操作手段
を備え、該操作手段から選択された操作命令項目に基づいて機器の制御を行なう
機器制御システムにおいて、音声操作による操作命令項目と手動操作による操作
命令項目とを組み合わせて用いるように構成されていることを特徴としている。
また、本発明に係る機器制御システム（４）は、音声で操作可能な音声操作手
段、及び手動で操作可能な手動操作手段を備え、前記音声操作手段、又は前記手
動操作手段により選択された操作命令項目に基づいて機器の制御を行う機器制御
システムにおいて、操作命令項目が階層化され、前記音声操作手段、及び前記手
動操作手段のいずれか一方の操作手段による操作で、上位の階層の操作命令項目
が選択された後、前記一方とは異なる他方の操作手段による操作で、その下位の
階層にある操作命令項目を選択し得るように構成されていることを特徴としてい
る。
また、本発明に係る機器制御システム（５）は、上記機器制御システム（４）
において、前記上位の階層の操作命令項目が放送種別であり、前記その下位の階
層にある操作命令項目が放送局名であることを特徴としている。
上記機器制御システム（３）〜（５）によれば、音声操作による操作命令項目
と手動操作による操作命令項目とを組み合わせて用いるように構成され、すなわ
ち音声操作及び手動操作それぞれの良い部分を有効に用いることができるように
構成されているので、使い勝手が大変良くなる。
【手続補正８】
【補正対象書類名】明細書
【補正対象項目名】００１７
【補正方法】変更
【補正の内容】
【００１７】
また、本発明に係る機器制御システム（６）は、上記機器制御システム（１）
〜（５）のいずれかにおいて、入力音声の大きさに応じて制御量を差別化するよ
うに構成されていることを特徴としている。
【手続補正９】
【補正対象書類名】明細書
【補正対象項目名】００１８
【補正方法】変更
【補正の内容】
【００１８】
上記機器制御システム（６）によれば、入力音声の大きさに応じて制御量を差
別化することができるので、例えば、ボリューム操作において、大きな声で『ボ
リュームアップ』といった場合と小さな声で『ボリュームアップ』といった場合
とでは、ボリュームアップのレベルを変えることができる。
【手続補正１０】
【補正対象書類名】明細書
【補正対象項目名】００１９
【補正方法】変更
【補正の内容】
【００１９】
また、本発明に係る機器制御システム（７）は、上記機器制御システム（１）
〜（６）のいずれかにおいて、終了命令項目が発声されるまで、継続中の作動を
終了させないように構成されていることを特徴としている。
【手続補正１１】
【補正対象書類名】明細書
【補正対象項目名】００２０
【補正方法】変更
【補正の内容】
【００２０】
上記機器制御システム（７）によれば、終了命令がなされるまで、作動が終了
しないので、例えば、操作画面上のカーソルを移動させる場合、まず最初に『ミ
ギ』と発声すれば、カーソルが右へ移動しはじめ、次に『ストップ』と発声すれ
ばカーソルが止まるようにすることができる。
【手続補正１２】
【補正対象書類名】明細書
【補正対象項目名】００２２
【補正方法】変更
【補正の内容】
【００２２】
また、本発明に係る機器制御システム（８）は、上記機器制御システム（１）
〜（７）のいずれかにおいて、同音語が連続的に入力されると、その連続数をカ
ウントし、カウント値に応じて制御量を決定するように構成されていることを特
徴としている。
【手続補正１３】
【補正対象書類名】明細書
【補正対象項目名】００２３
【補正方法】変更
【補正の内容】
【００２３】
上記機器制御システム（８）によれば、同音語が連続的に入力されると、その
連続数に応じて制御量を差別化することができるので、例えば、操作画面上のカ
ーソルを移動させる場合、『ミギ、ミギ、ミギ』と発声すれば、カーソルを３つ
分、右へ移動させることができる。
【手続補正１４】
【補正対象書類名】明細書
【補正対象項目名】００２４
【補正方法】変更
【補正の内容】
【００２４】
また、本発明に係る機器制御システム（９）は、上記機器制御システム（１）
〜（８）のいずれかにおいて、リモコンを用いて音声を入力し、その音声情報を
機器本体側へ伝達する場合に、ＦＭ等の電波を用いて行なうように構成されてい
ることを特徴としている。
【手続補正１５】
【補正対象書類名】明細書
【補正対象項目名】００２５
【補正方法】変更
【補正の内容】
【００２５】
上記機器制御システム（９）によれば、ＦＭ等の電波を用いることによって、
空間に障害物等があったとしても、精度良く音声情報を機器本体側へ伝達させる
ことができる。
また、本発明に係る車載用機器（１）は、上記機器制御システム（１）〜（９
）のいずれかが装備されていることを特徴としている。
上記車載用機器（１）によれば、使い勝手の良い機器となり、操作時の視線移
動を抑えることができるので、走行の安全性を高めることができる。